(57)【要約】【課題】  作業者の安全と廃液処理を考慮した、環境に配慮した厨房用グリスフィルターの洗浄方法を提供する。【解決手段】本発明では、グリスフィルターを収納できる、軟質防水性の特殊バッグを設計、製作し、その中に被洗浄物と粉末状の洗剤剤および６０℃程度の熱湯を入れ、防水ファスナーを閉めて、６０分程度浸け置する。その後、上下に振動、撹拌することで、油脂汚れをグリスフィルターから剥離する洗浄方法を特徴にしている。【特許請求の範囲】
【請求項１】
厨房用グリスフィルターに付着した油脂汚れを洗浄する方法において、当該厨房用グリスフィルターを収納する軟質防水性のバッグ内に被洗浄物である厨房用グリスフィルターと粉末状の洗浄剤及び熱湯を入れ、３０~６０分程度の浸け置き後、軟質防水性のバッグを上下に振動して撹拌後、浮き出た油脂汚れを清水で洗い流す工程を特徴とする厨房用グリスフィルターの洗浄方法。
【請求項２】
前記した洗浄剤には、過炭酸ナトリウム約７０％（重量％）、炭酸水素ナトリウム約３０％（重量％）の粉末状の混合物を使用することを特徴とする請求項１に記載の厨房用グリスフィルターの洗浄方法
【請求項３】
前記軟質防水性のバッグの外側表面には、特殊セラミック塗料を塗布することを特徴とする請求項１に記載の厨房用グリスフィルターの洗浄方法
【発明の詳細な説明】
【技術分野】
【０００１】
本発明は、厨房の排気ダクト等に設置され、厨房から発生する油脂のミストなどを除去して油分を回収するために用いられる厨房用グリスフィルターの洗浄方法に関する。
【背景技術】
【０００２】
厨房から発生する油脂の蒸気やミストが排気ダクトに付着し、排気ダクト内に堆積して排気効率を低下させたり、付着した油脂が火災の伝播を引き起こしたりして、厨房内の環境悪化や火災時の災害拡大に繋がるという問題があり、これを防止するため厨房の排気ダクトにグリスフィルターを設置し、油脂を回収することが行われている。
飲食店の稼動状況に相応して、グリスフィルターは油脂で汚れるので、対応して洗浄を定期的に繰り返して使用している環境がある。
【０００３】
グリスフィルターの洗浄方法は、飲食店側で洗浄する場合は市販の苛性ソーダ入りの強アルカリ水溶液を６０℃以上の熱湯で希釈、油脂汚れの程度に応じて、３０~６０分程度この液に浸け置き後、プラスティック製ブラシあるいは金属製ブラシ等でブラシング後、油脂を清水で洗い流している状況が一般的である。
【０００４】
また、専門の洗浄事業者、レンタル方式の事業者に委託する場合は、レンタル事業者が契約先の飲食店に出向き、グリスフィルターを交換・回収、専門の洗浄工場に運搬して、上記と同じような高温６０℃の強アルカリ液に６０分程度浸け置き、その後、高圧洗浄機の水圧でグリスフィルターの内部にある油脂を排除している状況がある。
【０００５】
上記したシステムにおいては、いずれも苛性ソーダ入りの強アルカリ液を高温度にして、この洗浄液にグリスフィルターを浸け置きして、さらに機械的な力、人力によるブラシングあるいは高圧洗浄機の水圧等を加えて、油脂を洗浄、除去している。
【先行技術文献】
【特許文献】
【０００６】
上記した課題を解決する先行特許を調査したところ、特許文献は発見できなかった。イ
ンターネット上で検索した結果は、上記に記載した洗浄方法を採用している事業者が多いことを理解できる。
【発明の概要】
【発明が解決しようとする課題】
【０００７】
従来の強アルカリの洗浄液を使用した洗浄方法は、確かに洗浄力はあるが、作業者と
地球環境に次のような大きな負荷を与えている課題がある。
課題１：苛性ソーダ液が、作業者の眼に入ると失明の恐れがある。皮膚に付着すると炎症を起こすので、非通水性のゴム手袋の着用は必須である。
課題２：強アルカリの苛性ソーダ液は、水質汚濁防止法により下水には流せない危険物である。廃液処理は、都道府県知事認可の産業廃棄物事業者に処理を委託する必要があるので、その分の処理費用がかかる。
課題３：このような危険な洗浄剤を飲食店で使用すること自体が、大きなリスクである。万一、食材に交じった場合のトラブル処理は大変高価な代償を支払うことになることは予測できることである。
したがって、レンタル方式の専門事業者に洗浄作業を委託する飲食店が多い状況を理解できる。
【課題を解決するための手段】
【０００８】
本発明は、前記の課題１〜３に鑑みてなされたもので、請求項１に記載の発明は、飲食店側で料理人達が当該グリスフィルターの油脂汚れを洗浄する場合の洗浄方法に関する。
当該グリスフィルターを収納できる軟質防水性のバッグを設計、製作して、その中に、被洗浄物のグリスフィルターを入れ、同時に粉末状の洗浄剤と６０℃の熱湯を入れて、
３０〜６０分程度浸け置きする。その後、上下にバッグを振動後、グリスフィルターをバッグから取り出し、剥離した油脂を清水で洗い流す。
【０００９】
請求項２に記載の発明は、苛性ソーダの洗浄液に替えて、作業者と環境に配慮した粉末状の洗浄剤、過炭酸ナトリウムと炭酸水素ナトリウムの粉末の混合物、を使用することを特徴にした請求項１に記載の洗浄方法である。
なお、発明者らの苛性ソーダ洗浄液と当該粉末洗浄剤との薬剤の性能比較検査結果では、洗浄液及び洗浄剤の油脂汚れに対する洗浄力は同等以上であった。
【００１０】
請求項３に記載の発明は、当該軟質防水性のバッグの外側表面に断熱性を有する特殊セ
ラミック塗料を塗装することによる洗浄性能を高めることを目的にした請求項１に記載の
洗浄方法である。
【発明の効果】
【００１１】
本発明の請求項１では、当該グリスフィルターを収納するバッグを設計、製作し、その中に被検査物グリスフィルターと粉末状洗浄剤及び６０℃以上のお湯を入れ、３０〜６０分程度の浸け置き洗浄後、バッグに上下の振動を与え、油脂汚れを浮かせ、清水で洗い流す。なお、粉末洗浄剤は、安全性の高い、素手で触っても問題ない、過炭酸ナトリウムと炭酸水素ナトリウムの混合物である。したがって、厨房の料理人達が、当該グリスフィルターを定期的に安全に洗浄できる効果がある。
【００１２】
請求項２においては、危険な苛性ソーダ液に替えて、粉末状の洗浄剤、過炭酸ナトリウムと炭酸水素ナトリウムの粉末状混合物を採用した洗浄システムとしている。
粉末状の洗浄剤は、４０〜６０℃の熱湯で洗浄効果を発揮するものである。過炭酸ナトリウムが熱湯と反応するときに、酸素ガスの泡が発生、酸素を含んだ泡が油脂を分解、グリスフィルターから引き離す。同様に、炭酸水素ナトリウムも熱湯と反応して、二酸化炭素ガスの泡を発生、この泡が油脂をグリスフィルターから引き離す効果を発揮する。
４０℃以下の常温では、洗浄力が半減するので、熱湯で粉末状の洗浄剤を溶解することがポイントである。
【００１３】
本発明の請求項３では、粉末状の洗浄剤の洗浄力を保持するための工夫である。バッグの外側表面に特殊セラミック塗料を塗ることにより、保温力を向上させる。粉末洗浄剤の洗浄力を維持、洗浄時間の短縮、合理化を図るためのものである。
なお、粉末の洗浄剤は、熱湯を注いで反応した時点が最大の洗浄能力を発揮するもので、時間の経過とともに減少、水となるものである。バッグに保温力を維持させることは洗浄力を高める効果がある。
【００１４】
前記した請求項１〜３により、課題１〜３を解決して、作業者の安全性確保及び廃液は下水に流せる環境配慮型のグリスフィルターの油脂汚れの洗浄方法を提供する効果がある。
すなわち、次の特徴１〜５を有する洗浄方法の提供である。
特徴１：従来と同等以上の洗浄力で、作業者の安全及び地球環境への負荷の小さい、グルスフィルターの油脂汚れを定期的に洗浄する方法の提供である。
特徴２：洗浄後の廃液は、粉末状の混合物洗浄剤はｐＨ10程度（１％水溶液）のアルカリ液、１０倍に水で希釈すれば、ｐｈ９以下の水質汚濁防止法の基準値に適合する。あるいは微量のクエン酸（食品添加物）で中和処理できるものである。
特徴３：防水性のある特殊バック内で浸け置き、さらに上下振動を加えることにより、油脂汚れがグリスフィルターから容易に離脱するシステムとなっているので、ブラシング工程、あるいは高圧洗浄による洗浄等の工程を省略、洗浄時間の短縮ができる。
特徴４：また、過炭酸ナトリウム及び炭酸水素ナトリウムは汎用の漂白剤、食品添加物として広く市販されている化学薬品であるので、比較的安価に入手できる。
当該粉末洗浄剤は、使用する際に４０℃以上の熱湯で溶解することがポイントである。
特長５：収納バッグへの特殊セラミック塗料の塗布により、洗浄力を高めることができるので、グリスフィルターをきれいに、短時間で洗浄する効果がある。 
【図面の簡単な説明】
【００１５】
【図１】図１は、本発明におけるグリスフィルターの設置状況の説明図である。
【図２】図２は、本発明の実施例の説明図である。
【発明を実施するための形態】
【００１６】
本発明の詳細を以下、図１〜図２により記述する。
図１は、厨房内のミスト状の油脂汚れを排気するシステム１の構成を説明するための図である。
図１において、厨房内に設置されているフード４内に、グリスフィルター２、３は内蔵されている。
厨房内で発生するミスト状の油脂汚れは、グリスフィルター２、３を通過して、排気ダクト５を通って、屋外に排気されるようになっている。排気ファン６は、排気ダクト５の屋外側に設置され、フード４内に発生したミスト状の油脂を屋外に排気する。
【００１７】
グリスフィルター２，３は徐々に油脂で汚れてくるので、厨房の使用環境に対応して、定期的に洗浄する必要がある。
【００１８】
次に、グリスフィルター２，３の洗浄方法について図２により本発明の請求項１及び請求項２を説明する。
図２の１１は、本発明のバッグ１１で軟質防水性の部材、塩化ビニール樹脂等で形成しているものである。
図２において、１２、１３はバッグ１１の把手であり、１４はグリスフィルター２，３を出し入れするファスナーで、防水性のものである。
【００１９】
グリスフィルター２，３はファスナー１４を通してバッグ１１内に収納されている。粉末状洗浄剤１５と６０℃程度の熱湯を、被洗浄物が浸かるようにファスナー１４から入れる。そして、３０〜６０分程度洗浄液にグリスフィルター２，３を浸け置きする。
【００２０】
浸け置き工程が終了したら、バッグ１１の把手１２，１３を持って、バッグ１１を上下に振動させ、油脂汚れをグリスフィルター２，３から剥離する。その後、清水で油脂汚れを洗い流す。
水切り後、乾燥させて、グリスフィルター２，３を元の位置、厨房のフード内４に設置する。
【００２１】
なお、グリスフィルター２，３は別途グリスフィルターが入る大きさのビニール袋に収納、その中に粉末状洗浄剤１５及び熱湯を入れて密封する。
前記した作業工程が完了したら、ビニール袋ごと取り出し、水で薄め、廃液を下水に流し、処理する。このようにすることで、さらに安全に能率良くグリスフィルター２，３を洗浄することができる。
【００２２】
粉末状の洗浄剤１５は、過炭酸ナトリウム約７０％（重量％）、炭酸水素ナトリウム３０％（重量％）の混合物である。過炭酸ナトリウムが５０％以下の割合では洗浄力が低いので、上記の割合の粉末洗浄剤を好適とする。
【００２３】
当該粉末洗浄剤１５は、４０℃以上の熱湯で溶解、酸素ガス、二酸化炭素ガスを発泡して、油脂を剥離する。なお、厨房は、４０℃以上の熱湯を入手できる給湯設備を備えた環境にあるので好適である。
【００２４】
次に請求項３を説明する。
請求項３は、図２における、バッグ１１の外側表面に断熱性のある特殊セラミック塗
料（一般には遮熱塗料とも言う）を塗って、保温性アップによる洗浄力の向上を目的にしたものである。
セラミック塗料は０．５ミリ程度の塗装膜の厚さでも、断熱効果が大きい特性があるの
で、バック１１の表面に塗ることにより軽くて、断熱性のあるバッグとなる。
したがって、短時間でグリスフィルター２、３の油脂汚れを洗浄処理することができる
ので、洗浄コストの低減につながる効果がある。
【産業上の利用可能性】
【００２５】
グリスフィルターの素材は、セラミックあるいはステンレスである。油汚れを処理する必要がある金属加工部品の洗浄等への応用がある。
【符号の説明】
【００２６】
１      グリスフィルターの設置状況を説明するシステム構成
２      グリスフィルター
３      グリスフィルター
４      フード
５      排気ダクト
６      排気ファン
１１    バッグ
１２    把手
１３    把手
１４    ファスナー
１５    粉末洗浄剤
【図１】
2015182012.tif 000002
【図２】
2015182012.tif 000003
【手続補正書】
【提出日】平成26年8月20日(2014.8.20)
【手続補正１】
【補正対象書類名】明細書
【補正対象項目名】００１１
【補正方法】変更
【補正の内容】
【００１１】
本発明の請求項１では、当該グリスフィルターを収納するバッグを設計、製作し、その中に被洗浄物グリスフィルターと粉末状洗浄剤及び６０℃以上のお湯を入れ、３０〜６０分程度の浸け置き洗浄後、バッグに上下の振動を与え、油脂汚れを浮かせ、清水で洗い流す。なお、粉末洗浄剤は、安全性の高い、素手で触っても問題ない、過炭酸ナトリウムと炭酸水素ナトリウムの混合物である。したがって、厨房の料理人達が、当該グリスフィルターを定期的に安全に洗浄できる効果がある。
【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
厨房用グリスフィルターに付着した油脂汚れを洗浄する方法において、
当該厨房用グリスフィルターを収納する軟質防水性のバッグ内に被洗浄物である前記厨房用グリスフィルターと、過炭酸ナトリウムがＸ％（重量％）であり炭酸水素ナトリウムがＹ％（重量％）の粉末状の混合物からなる洗浄剤（但し、Ｘは５０以上であり、かつＸ＋Ｙ＝１００であるものとする）及び熱湯を入れ、３０〜６０分程度の浸け置き後、前記軟質防水性のバッグを上下に振動して撹拌後、浮き出た油脂汚れを清水で洗い流す工程を特徴とする厨房用グリスフィルターの洗浄方法。
【請求項２】
前記洗浄剤には、過炭酸ナトリウム約７０％（重量％）、炭酸水素ナトリウム約３０％（重量％）の粉末状の混合物を使用する
ことを特徴とする請求項１に記載の厨房用グリスフィルターの洗浄方法。
【請求項３】
前記軟質防水性のバッグの外側表面には、特殊セラミック塗料を塗布する
ことを特徴とする請求項１に記載の厨房用グリスフィルターの洗浄方法。